(57)【要約】【課題】  汎用的な光源を用いつつ、静止画像の記録時に十分な輝度を確保したぶれのない静止画像を形成するように、照明光の照射制御が可能な内視鏡用光源装置を実現する。【解決手段】  調光制御部は、トリガー信号Ｓ１の受信後に初めて第１の光Ｌ１が照射されるフィールド期間である光量増加フィールド期間ＴＦにおいて、第１の光Ｌ１の光量を、通常放射される光量である通常光量ＬＲから、増加光量ＬＵに増加するように第１光源を制御する。さらに、調光制御部は、光量増加フィールド期間ＴＦ内の所定のタイミングで電子シャッタ機能によりぶれのない静止画像を記録させるため、高輝度撮影が行なわれる。また、第１光源は、光量減少フィールド期間ＴＳにおいて、放射する第１の光Ｌ１の光量が通常光量ＬＲよりも小さい減少光量ＬＤとなるように、調光制御部によって制御され、この間の消費電流量が削減される。【選択図】        図４
2006087772.tif 000002
【特許請求の範囲】
【請求項１】
電子シャッタ機能による静止画像記録が可能な電子内視鏡装置に用いられる光源装置であって、
被写体を照明するための照明光である第１の光及び第２の光をそれぞれ放射する第１及び第２の光源と、
前記第１の光の光量を調整する光量調整手段と、
前記第１の光と、前記第２の光とを、１フレーム期間周期で交互に通過及び遮光させる照射制御手段とを備え、
前記光量調整手段が、静止画像の記録動作直後に前記第１の光が放射される第１のフィールド期間において、前記電子シャッタ機能による静止画像記録のため、前記第１のフィールド期間における前記第１の光の光量を通常の光量である通常光量から増加光量に増加させることを特徴とする光源装置。
【請求項２】
前記第２の光の放射と放射停止とを切換え可能であり、前記第１のフィールド期間の次の第２のフィールド期間において前記第２の光の放射を停止させる光源制御手段をさらに有することを特徴とする請求項１に記載の光源装置。
【請求項３】
前記光量調整手段が、前記第１のフィールド期間の次の第２のフィールド期間において、前記第１の光の光量を、前記増加光量から、前記通常光量よりも小さい減少光量に減少させることを特徴とする請求項１に記載の光源装置。
【請求項４】
前記光量調整手段が、前記第２の光の光量をさらに調整可能であり、前記光量調整手段が前記第１の光の光量と前記第２の光の光量とのいずれか一方を調整するように、前記光量調整手段を制御する光量調整切換手段をさらに有することを特徴とする請求項１に記載の光源装置。
【請求項５】
前記照射制御手段が、前記第１の光及び前記第２の光を通過させる通過部と遮光する遮光部とを有する回転シャッタと、前記回転シャッタを駆動するシャッタ駆動手段とから成ることを特徴とする請求項１に記載の光源装置。
【請求項６】
前記シャッタ駆動手段が、前記回転シャッタが１フレーム期間で１回転するように、前記回転シャッタを制御することを特徴とする請求項５に記載の光源装置。
【請求項７】
前記照明光の光路を調整する光路調整手段をさらに有することを特徴とする請求項１に記載の光源装置。
【請求項８】
電子シャッタ機能による撮像が可能な電子内視鏡装置に用いられる光源装置であって、
被写体を照明するための照明光を放射する光源と、
前記照明光の光量を調整する光量調整手段と、
前記照明光を１フレーム期間周期で通過及び遮光させる照射制御手段とを備え、
前記光量調整手段が、静止画像の記録動作直後に前記照明光が放射される第１のフィールド期間において、前記電子シャッタ機能による記録のため、前記第１のフィールド期間における前記照明光の光量を通常の光量である通常光量から増加光量に増加させることを特徴とする光源装置。
【請求項９】
前記照明光の放射と放射停止とを切換え可能であり、前記第１のフィールド期間の次の第２のフィールド期間において前記照明光の放射を停止させる光源制御手段をさらに有することを特徴とする請求項８に記載の光源装置。
【請求項１０】
前記照射制御手段が、前記照明光を通過させる通過部と遮光する遮光部とを有する回転シャッタと、前記回転シャッタを駆動するシャッタ駆動手段とから成ることを特徴とする請求項９に記載の光源装置。
【請求項１１】
前記シャッタ駆動手段が、前記回転シャッタが１フレーム期間で１回転するように、前記回転シャッタを制御することを特徴とする請求項１０に記載の光源装置。
【請求項１２】
前記照明光の光路を調整する光路調整手段をさらに有することを特徴とする請求項８に記載の光源装置。
【請求項１３】
電子シャッタ機能による静止画像記録が可能な電子内視鏡装置であって、
被写体を照明するための照明光である第１の光及び第２の光をそれぞれ放射する第１及び第２の光源と、
前記第１の光の光量を調整する光量調整手段と、
前記第１の光と、前記第２の光とを、１フレーム期間周期で交互に通過及び遮光させる照射制御手段と、
前記電子シャッタ機能による静止画像記録のための動作を検知する記録動作検知手段とを備え、
前記光量調整手段が、前記記録動作検知手段が前記静止画像記録のための動作を検知すると、前記動作の直後に前記第１の光が放射される第１のフィールド期間において、前記電子シャッタ機能による記録のため、前記第１のフィールド期間における前記第１の光の光量を増加させることを特徴とする電子内視鏡装置。
【請求項１４】
電子シャッタ機能による静止画像記録が可能な電子内視鏡装置であって、
被写体を照明するための照明光を放射する光源と、
前記照明光の光量を調整する光量調整手段と、
前記照明光を１フレーム期間周期で通過及び遮光させる照射制御手段と、
前記電子シャッタ機能による静止画像記録のための動作を検知する記録動作検知手段とを備え、
前記光量調整手段が、前記記録動作検知手段が前記静止画像記録のための動作を検知すると、前記動作の直後に前記照明光が放射される第１のフィールド期間において、前記電子シャッタ機能による記録のため、前記第１のフィールド期間における前記照明光の光量を増加させることを特徴とする電子内視鏡装置。
【発明の詳細な説明】
【技術分野】
【０００１】
本発明は、内視鏡用光源装置に関し、特に、電子シャッタ機能を備えた電子内視鏡装置に用いられる、照射光の照射制御が可能な光源装置に関する。
【背景技術】
【０００２】
電子内視鏡装置は、一般に、被写体である体内組織を照明するための光源等を備えたプロセッサと、撮像素子を備えたビデオスコープにより構成される。光源からの照明光は、ビデオスコープ内に挿通されたライトガイドを介して、ビデオスコープの先端部から被写体に照射される。そして、撮像素子によって得られた映像信号がプロセッサに送信され、プロセッサにおいて映像信号に所定の処理が施されることにより、被写体像がモニタに表示される。
【０００３】
また、電子内視鏡装置にて高解像度の静止画像を撮像するために、電子シャッタ機能を用いて、露光時間を任意に設定することができる（例えば特許文献１参照）。電子シャッタ機能を利用することにより、被写体に合わせて電子シャッタ機能のシャッタスピードを調整することができ、短い露光時間に設定することにより、ぶれが抑制された静止画像を得ることができる。
【特許文献１】特開２００３−３０５００５号公報（図３〜図６）
【発明の開示】
【発明が解決しようとする課題】
【０００４】
電子シャッタ機能による静止画像の記録を行なう場合、短い露光時間内に十分な電荷が蓄積される必要がある。従って、電子シャッタ機能を用いる場合、照明光の光量を増加させる必要があるが、モータ制御による調光絞りにて、静止画像の記録動作に瞬時に対応させて増加させることは困難である。このため、静止画像の撮像において輝度が不足する場合がある。
【０００５】
本発明は、汎用的な光源を用いつつ、照明光の照射と光量を制御することにより、静止画像の記録時に十分な輝度を確保したぶれのない静止画像を得ることができる内視鏡用光源装置を実現することを目的とする。
【課題を解決するための手段】
【０００６】
本発明の光源装置は、電子シャッタ機能による静止画像記録が可能な電子内視鏡装置に用いられる。光源装置は、被写体を照明するための照明光である第１の光及び第２の光をそれぞれ放射する第１及び第２の光源と、第１の光の光量を調整する光量調整手段と、第１の光と第２の光とを１フレーム期間周期で交互に通過及び遮光させる照射制御手段とを備える。そして、光量調整手段は、静止画像の記録動作直後に第１の光が放射される第１のフィールド期間において、電子シャッタ機能による静止画像記録のため、第１のフィールド期間における第１の光の光量を通常の光量である通常光量から増加光量に増加させる。
【０００７】
光源装置は、第２の光の放射と放射停止とを切換え可能であって、第１のフィールド期間の次の第２のフィールド期間において第２の光の放射を停止させる光源制御手段をさらに有することが好ましい。
【０００８】
光量調整手段は、第１のフィールド期間の次の第２のフィールド期間において、第１の光の光量を、増加光量から、通常光量よりも小さい減少光量に減少させることが望ましい。
【０００９】
光量調整手段は、第２の光の光量をさらに調整可能であって、光源装置が、光量調整手段が第１の光の光量と第２の光の光量とのいずれか一方を調整するように、光量調整手段を制御する光量調整切換手段をさらに有することが好ましい。
【００１０】
照射制御手段は、例えば、第１の光及び第２の光を通過させる通過部と遮光する遮光部とを有する回転シャッタと、回転シャッタを駆動するシャッタ駆動手段とから成る。この場合、シャッタ駆動手段が、回転シャッタが１フレーム期間で１回転するように、回転シャッタを制御することが好ましい。
【００１１】
光源装置は、照明光の光路を調整する光路調整手段をさらに有することが好ましい。
【００１２】
本発明の光源装置は、電子シャッタ機能による撮像が可能な電子内視鏡装置に用いられ、被写体を照明するための照明光を放射する光源と、照明光の光量を調整する光量調整手段と、照明光を１フレーム期間周期で通過及び遮光させる照射制御手段とを備える。そして、光量調整手段が、静止画像の記録動作直後に照明光が放射される第１のフィールド期間において、電子シャッタ機能による記録のため、第１のフィールド期間における照明光の光量を通常の光量である通常光量から増加光量に増加させる。
【００１３】
光源装置は、照明光の放射と放射停止とを切換え可能であって、第１のフィールド期間の次の第２のフィールド期間において照明光の放射を停止させる光源制御手段をさらに有することが好ましい。
【００１４】
照射制御手段は、例えば、照明光を通過させる通過部と遮光する遮光部とを有する回転シャッタと、回転シャッタを駆動するシャッタ駆動手段とから成る。この場合、シャッタ駆動手段が、回転シャッタが１フレーム期間で１回転するように、回転シャッタを制御することが好ましい。
【００１５】
光源装置は、照明光の光路を調整する光路調整手段をさらに有することが望ましい。
【００１６】
本発明の電子内視鏡装置は、電子シャッタ機能による静止画像記録が可能であり、被写体を照明するための照明光である第１の光及び第２の光をそれぞれ放射する第１及び第２の光源と、第１の光の光量を調整する光量調整手段と、第１の光と第２の光とを１フレーム期間周期で交互に通過及び遮光させる照射制御手段と、電子シャッタ機能による静止画像記録のための動作を検知する記録動作検知手段とを備える。そして、光量調整手段が、記録動作検知手段が静止画像記録のための動作を検知すると、動作の直後に第１の光が放射される第１のフィールド期間において、電子シャッタ機能による記録のため、第１のフィールド期間における第１の光の光量を増加させる。
【００１７】
本発明の電子内視鏡装置は、電子シャッタ機能による静止画像記録が可能であり、被写体を照明するための照明光を放射する光源と、照明光の光量を調整する光量調整手段と、照明光を１フレーム期間周期で通過及び遮光させる照射制御手段と、電子シャッタ機能による静止画像記録のための動作を検知する記録動作検知手段とを備える。そして、光量調整手段が、記録動作検知手段が静止画像記録のための動作を検知すると、動作の直後に照明光が放射される第１のフィールド期間において、電子シャッタ機能による記録のため、第１のフィールド期間における照明光の光量を増加させる。
【発明の効果】
【００１８】
本発明によれば、汎用的な光源を用いつつ、照明光の照射と光量を制御することにより、静止画像の記録時に十分な輝度を確保して、輝度不足が生じない静止画像が得られる内視鏡用光源装置を実現できる。
【発明を実施するための最良の形態】
【００１９】
以下、本発明の第１の実施形態を、図面を参照して説明する。図１は、第１の実施形態における電子内視鏡装置１０のブロック図である。
【００２０】
電子内視鏡装置１０は、患者の体腔内の撮影に用いられるビデオスコープ２０と、ビデオスコープ２０に照明光を供給するとともにビデオスコープ２０から送られてくる画像信号を処理するプロセッサ３０とを備える。ビデオスコープ２０は、プロセッサ３０に着脱自在に接続され、プロセッサ３０にはモニタ６０が接続されている。
【００２１】
プロセッサ３０には、照明光を照射する光源装置３１が設けられている。光源装置３１は、キセノンランプを含む第１及び第２光源３２、３３、回転シャッタ３６等を備える。光源点灯スイッチ（図示せず）が操作されて電源供給されると、第１及び第２光源３２、３３は、被写体を照明するための照明光である、第１の光Ｌ１と第２の光Ｌ２とを、それぞれ放射する。放射された照明光は、照明光を一定時間ずつ遮光、通過させるように、モータ３７によって駆動される回転シャッタ３６に到達する。回転シャッタ３６を通過した照明光は、光路制御部３８によって光路が調整された後、調光絞り４５に入射する。調光絞り４５によって光量が調整された照明光は、導光レンズ４０を介してライトガイド１２の入射端１２Ａに入射する。ライトガイド１２は、照明光を観察部位のあるビデオスコープ２０の先端部へ伝達しており、ライトガイド１２を通った照明光は出射端１２Ｂから観察部位に出射される。
【００２２】
被写体である観察部位で反射した照明光は、対物レンズ（図示せず）及びカラーフィルタ（図示せず）を通ってＣＣＤ２２の受光面に到達する。そして、光電変換により生じた、カラーフィルタを通る色に応じた被写体像の画像信号を形成するための電荷が、ＣＣＤ２２の受光面に蓄積される。ここでは、カラーテレビジョン方式としてＮＴＳＣ方式が適用されており、ＣＣＤ２２の奇数ラインと偶数ラインによって生成された画像信号を加算することにより、１フィールド期間、すなわち１／６０秒間隔ごとに、ＣＣＤ２２の同一露光時に得られた全ての電荷が順次読み出され、動画像の画像信号として初期信号処理回路２４へ送られる。なお、後に詳述する静止画像の記録においては、電子シャッタ機能が用いられるため、ＣＣＤ２２に蓄積される電荷の一部は掃き捨てられる。
【００２３】
ビデオスコープ２０内には、ビデオスコープ２０全体を制御するスコープ制御部２６と、ビデオスコープ２０の特性や信号処理に関するデータがあらかじめ記憶されたＥＥＰＲＯＭ２８が設けられている。スコープ制御部２６は、初期信号処理回路２４に対して制御信号を送るとともに、適宜ＥＥＰＲＯＭ２８からデータを読み出す。例えば、ビデオスコープ２０がプロセッサ３０に接続されると、スコープ制御部２６は、ＣＣＤ２２のフレームレート情報をＥＥＰＲＯＭ２８から読出し、初期信号処理回路２４に送る。初期信号処理回路２４は、ＣＣＤ２２のフレームレート情報を、プロセッサ３０側のシステムコントロール回路４４内の調光制御部４１に送る。調光制御部４１は、受信したＣＣＤ２２のフレームレート情報に基づいて、回転シャッタ３６を１フレーム期間で１回転させるように、モータ３７を制御する。
【００２４】
また、初期信号処理回路２４では、ＣＣＤ２２から読み出された画像信号に増幅処理が施され、さらにアナログ信号からデジタル信号に変換される。そして、ホワイトバランス調整など様々な処理がデジタル画像信号に対して施され、輝度信号Ｙ、色差信号Ｃｂ、Ｃｒが生成される。輝度信号Ｙ及び色差信号Ｃｂ、Ｃｒは、プロセッサ３０のプロセッサ信号処理回路４８へ送られ、ＮＴＳＣ信号などの映像信号に変換され、モニタ６０へ出力される。これにより、被写体の動画像がモニタ６０にリアルタイムで表示される。
【００２５】
ビデオスコープ２０には、フリーズボタン２５が設けられている。ユーザが、フリーズボタン２５を押下すると、静止画像を記録するためのトリガー信号が、スコープ制御部２６を介して調光制御部４１に送信される。調光制御部４１は、トリガー信号を受信すると、後述のように、第１の光Ｌ１の光量、第２の光Ｌ２の放射を制御するための信号を、第１及び第２光源３２、３３に送信する。この結果、電子シャッタ機能による静止画像の記録において、照明光の放射と光量とが制御される。
【００２６】
調光制御部４１、ＣＰＵ４２、ＲＯＭ４３を含むシステムコントロール回路４４は、プロセッサ３０全体を制御し、光源装置３１、調光絞り４５、タイミングコントロール回路４６などに制御信号を出力する。また、システムコントロール回路４４内のＲＯＭ４３には、プロセッサ３０の制御に関するプログラムが格納されている。タイミングコントロール回路４６からは、信号処理タイミングを調整するクロックパルスがプロセッサ３０内の各回路に出力され、また、映像信号に付加される同期信号がプロセッサ信号処理回路４８に送られる。
【００２７】
図２は、光源装置３１を示す図である。図３は、回転シャッタ３６を示す図である。
【００２８】
第１の光Ｌ１と、第２の光Ｌ２は、いずれも回転シャッタ３６に到達する。モータ３７によって駆動される回転シャッタ３６は、第１の光Ｌ１及び第２の光Ｌ２を、一定時間ずつ交互に遮光、及び通過させる。回転シャッタ３６の表面は、扇形であり、第１の光Ｌ１及び第２の光Ｌ２を遮光する遮光面５０を有する（図３参照）。第１の光Ｌ１及び第２の光Ｌ２は、回転シャッタ３６の通過領域５２が光路上にある時のみ、回転シャッタ３６を通過する。回転シャッタ３６は、１フレーム期間、すなわち１／３０秒ごとに１回転するため、第１の光Ｌ１と第２の光Ｌ２の遮光、及び通過を交互にそれぞれ一定時間ずつ、１フレーム期間周期で反復する。回転シャッタ３６を通過した第１の光Ｌ１及び第２の光Ｌ２は、いずれも光路制御部３８に入射する。
【００２９】
光路制御部３８は、第１〜第３反射ミラー５４〜５６、ハーフプリズム５８を備える。第１の光Ｌ１は、回転シャッタ３６を通過すると、第１反射ミラー５４、第２反射ミラー５５によって反射され、ハーフプリズム５８に入射する。第１の光Ｌ１は、ハーフプリズム５８によって光路を変えることなく、調光絞り４５に向けて光路制御部３８から出射する。一方、第２の光Ｌ２は、回転シャッタ３６を通過した後、第３反射ミラー５６によって反射され、ハーフプリズム５８に入射する。第２の光Ｌ２は、ハーフプリズム５８によって光路変更され、その結果、第１の光Ｌ１と第２の光Ｌ２とは、ハーフプリズム５８を出射すると同一の光路を進む。第１の光Ｌ１は、奇数フィールド時のＣＣＤ２２の露光に用いられ、第２の光Ｌ２は、偶数フィールド時の露光に用いられる。
【００３０】
なお、回転シャッタ３６の遮光面５０の中心角αを調整し、遮光面５０の大きさを変更することにより、１フレーム期間中に被写体に照射される照明光（第１の光Ｌ１及び第２の光Ｌ２）の照射時間を調整することができ、被写体に照射する照明光の光量調整が可能である。
【００３１】
図４は、照明光の照射を示すタイミングチャートである。
【００３２】
先述のように、ＮＴＳＣ方式におけるフレーム期間Ｔ１は１／３０秒であり、１／６０秒ずつの偶数フィールド期間Ｔ２と奇数フィールド期間Ｔ３の２つのフィールド期間から成る。フリーズボタン２５が押下されると、静止画像を記録するためのトリガー信号Ｓ１が、調光制御部４１に送信される。調光制御部４１は、トリガー信号Ｓ１の受信直後に第１の光Ｌ１が照射される奇数フィールド期間である、光量増加フィールド期間ＴＦにおける第１の光Ｌ１の光量を、通常放射される光量である通常光量ＬＲから、増加光量ＬＵに増加するように指示する第１光源ブースト信号Ｓ２を、第１光源３２に送信する。さらに、トリガー信号Ｓ１を受信した調光制御部４１は、光量増加フィールド期間ＴＦ内の所定のタイミングで、電子シャッタ機能により静止画像を記録させる電荷掃出しパルスをＣＣＤ２２に送信し、光量増加フィールド期間ＴＦの次の偶数フィールドである光量減少フィールド期間ＴＳにおいて、第２光源３３が第２の光Ｌ２を放射しないように制御する、第２光源オフ信号Ｓ３を第２光源３３に送信する。
【００３３】
この結果、光量増加フィールド期間ＴＦにおける第１の光Ｌ１の光量が、増加光量ＬＵに増加されるとともに、電子シャッタ機能により静止画像が記録される。このため、電子シャッタ撮影において高い輝度が確保され、ＣＣＤ２２に蓄積される単位時間当たりの電荷量は、通常の動画像表示の場合のそれよりも大きくなる。
【００３４】
なお、スコープ制御部２６がトリガー信号Ｓ１を受信すると、スコープ制御部２６は、初期信号処理回路２４を介して指示信号をＣＣＤ２２に送信することにより、画像信号の読出し方法を一時的に変換する。すなわち、垂直方向の２ライン分の電荷を加算して、１フィールド期間ごとに１フレーム分の画像信号を読出すフィールド読出しから、全電荷を撮像素子の奇数ライン及び偶数ラインごとに１フィールド期間ずつ読出す、すなわち１フレーム期間Ｔ１で１フレーム分の画像信号を読出すフレーム読出しに変更する。フレーム読出しの開始は、光量増加フィールド期間ＴＦの開始時に同期される。
【００３５】
このように、光量減少フィールド期間ＴＳにおいて、第２の光Ｌ２が放射されないためにＣＣＤ２２が露光されず、電荷読出し方式がフレーム読出しに変更されたことから、光量増加フィールド期間ＴＦにおいて、ＣＣＤ２２の奇数ラインによって生成された電荷のみが読出され、光量減少フィールド期間ＴＳにおいては、偶数ラインにより生成された電荷が読出される。こうしてラインごとに読出された全電荷に基づいて形成されることから、静止画像は高い解像度を有する。
【００３６】
また、フレーム読出しは、光量増加フィールド期間ＴＦと光量減少フィールド期間ＴＳにおいてのみ用いられ、静止画像の形成前後における動画像表示には、フィールド読出しが用いられる。このため、フレーム読出しを用いることによって、動画レートが低下することはなく、ユーザにちらつきを感知させない。
【００３７】
第１光源３２は、光量減少フィールド期間ＴＳにおいて、第１の光Ｌ１の光量が通常光量ＬＲよりも小さい減少光量ＬＤとなるように、調光制御部４１によって制御される。これは、光量減少フィールド期間ＴＳにおいて、第１の光Ｌ１の放射によって消費される電流量を節約し、光量増加フィールド期間ＴＦにおいて過剰に消費された電流量を補うためである。この結果、光量減少フィールド期間ＴＳ後は、光量増加フィールド期間ＴＦ前と同様に、通常光量ＬＲを有する第１の光の放射が可能となる。
【００３８】
なお、調光制御部４１は、第１光源３２のみならず、第２光源３３が放射する光量についても制御可能である。そして、光量増加フィールド期間ＴＦにおいて第１の光Ｌ１の光量が増加され、電子シャッタが作動すると、次に静止画像を形成する場合、調光制御部４１は、第１光源３２に代わって、第２の光Ｌ２の光量を増加させるように、第２光源３３を制御する。すなわち、この場合、第２の光Ｌ２が、偶数フィールド期間に設けられる光量増加フィールド期間において増加され、次の光量減少フィールド期間にて減少されるように、調光制御部４１は、第２光源３３を制御する。そして、さらに次の静止画像の記録においては、調光制御部４１は、再び第１の光Ｌ１の光量を増加させる。
【００３９】
このように、調光制御部４１は、静止画像形成において、第１光源３２と第２光源３３とを交互に選択して、照明光の光量を増加させる。なお、調光制御部４１は、静止画像形成のために第１光源３２及び第２光源３３のいずれか一方の放射光量を制御する場合、光量減少フィールド期間ＴＳにおける照明光の放射を停止するように、他方の光源も制御する。
【００４０】
以上のように、本実施形態によれば、汎用的な光源である第１及び第２光源３２、３３、照射制御手段である回転シャッタ３６等を用いて、電子シャッタ機能による静止画像の記録時に十分な輝度を確保したぶれのない静止画像を形成するように、照明光の照射制御が可能な内視鏡用光源装置、及び電子内視鏡装置を実現できる。
【００４１】
また、放射光量を調整する光源を切換えることによって、光源の長寿命化が可能になる。すなわち、一方の光源のみの照明光の光量を増減させる場合、光源に対する負荷が高くなって寿命が短くなるのに対し、光量を変化させる光源を交互に変更すると、いずれの光源についても負荷が軽くなり、さほど寿命が短縮されないことから、第１及び第２光源３２、３３の使用可能期間の合計は、一方の光源の放射光量のみを増減して使用する場合に比べ、延長される。
【００４２】
照射制御手段の構成は、回転シャッタ３６、及びこれを駆動するモータ３７に限定されず、例えば遮光板、及びこれを第１の光Ｌ１、第２の光Ｌ２の各光路に適宜挿脱するように駆動するＶＣＭ（Voice Coil Motor）であっても良い。
【００４３】
光路制御手段である第１〜第３反射ミラー５４〜５６、ハーフプリズム５８の配置等は、本実施形態に限定されない。
【００４４】
図５は、第２の実施形態における光源装置３１を示す図である。以下、第１の実施形態との相違点を中心に説明する。
【００４５】
第２の実施形態においては、光源装置３１には、第１光源３２のみが設けられる。このため、複数の光の光路を等しくするための光路制御部３８は不要であり、設けられていない。以上の点を除き、本実施形態の光源装置は、第１の実施形態と同じ構成を有する。すなわち、第１光源３２から放射された第１の光Ｌ１は、回転シャッタ３６に到達し、モータ３７によって駆動される回転シャッタ３６が、第１の光Ｌ１を、一定時間ずつ遮光、及び通過させる。
【００４６】
図６は、第２の実施形態における、照明光の照射を示すタイミングチャートである。フリーズボタン２５が押下されると、調光制御部４１は、光量増加フィールド期間ＴＦにおける第１光源３２の光量を、通常光量ＬＲから増加光量ＬＵに増加するように指示する第１光源ブースト信号Ｓ２を、第１光源３２に送信する。さらに、トリガー信号Ｓ１を受信した調光制御部４１は、第１光源オフ信号Ｓ３を第１光源３２に送信し、光量減少フィールド期間ＴＳにおいて、第１の光Ｌ１を放射しないように第１光源３２を制御する。また、調光制御部４１は、光量増加フィールド期間ＴＦ内の所定のタイミングで、電子シャッタ機能により静止画像を記録させるための電荷掃出しパルスをＣＣＤ２２に送信する。
【００４７】
この結果、光量増加フィールド期間ＴＦにおいて、第１の光Ｌ１の光量が増加光量ＬＵに増加され、輝度の高い状況下、電子シャッタ機能により静止画像が記録される。
【００４８】
なお、ＣＣＤ２２に蓄積された電荷の読出し方法がフィールド読出しからフレーム読出しに一時的に変更され、ＣＣＤ２２の奇数及び偶数ラインごとに読出された全電荷に基づいて形成されることから、静止画像は高い解像度を有する。
【００４９】
第１光源３２は、光量減少フィールド期間ＴＳにおいて、第１の光Ｌ１の放射を停止するように、調光制御部４１によって制御される。このように、調光制御部４１が、光量減少フィールド期間ＴＳにおいて第１の光Ｌ１の放射を停止させ、消費される電流量を節約するため、光量増加フィールド期間ＴＦにおいて第１の光Ｌ１の光量を増加させることと、光量減少フィールド期間ＴＳ後に再び通常光量ＬＲを有する第１の光を放射させることが可能になる。
【００５０】
以上のように、本実施形態によれば、汎用的な単一の光源と、照射制御手段である回転シャッタ３６等を用いて、電子シャッタ撮影において十分な輝度を確保したぶれのない静止画像を形成するように、照明光の照射制御が可能な内視鏡用光源装置、及び電子内視鏡装置を実現できる。
【図面の簡単な説明】
【００５１】
【図１】第１の実施形態における内視鏡装置のブロック図である。
【図２】第１の実施形態における光源装置を示す図である。
【図３】回転シャッタを示す図である。
【図４】第１の実施形態における照明光の照射を示すタイミングチャートである。
【図５】第２の実施形態における光源装置を示す図である。
【図６】第２の実施形態における照明光の照射を示すタイミングチャートである。
【符号の説明】
【００５２】
１０  電子内視鏡装置
２０  ビデオスコープ
２２  ＣＣＤ（撮像素子）
２５  フリーズボタン（記録動作検知手段）
２６  スコープ制御部（記録動作検知手段）
３０  プロセッサ
３１  光源装置
３２  第１光源（第１の光源・光源）
３３  第２光源（第２の光源）
３６  回転シャッタ（照射制御手段）
３７  モータ（シャッタ駆動手段・照射制御手段）
３８  光路制御部（光路調整手段）
４１  調光制御部（光量調整手段・光源制御手段・照射制御手段・光量調整切換手段）
５０  遮光面（遮光部）
５２  通過領域（通過部）
５４〜５６  第１〜第３反射ミラー（光路調整手段）
５８  ハーフプリズム（光路調整手段）
Ｌ１  第１の光
Ｌ２  第２の光
ＬＵ  増加光量
ＬＲ  通常光量
ＬＤ  減少光量
ＴＦ  光量増加フィールド期間（第１のフィールド期間）
ＴＳ  光量減少フィールド期間（第２のフィールド期間）
【図１】
2006087772.tif 000003
【図２】
2006087772.tif 000004
【図３】
2006087772.tif 000005
【図４】
2006087772.tif 000006
【図５】
2006087772.tif 000007
【図６】
2006087772.tif 000008